(57)【特許請求の範囲】
【請求項１】
身体を支持する側に複数のマッサージ手段が配設されたマット部材からなるとともに上面に開口を有する収納凹部が形成された身体支持体と、部分マッサージ手段を有し前記収納凹部に出入可能に収納されるとともに収納状態では前記身体支持体の上面と略面一として収納される部分マッサージ器と、前記収納凹部に配設され前記部分マッサージ器を前記収納凹部の開口から出し入れするとともに前記部分マッサージ器を出す際にはこの部分マッサージ器を押圧して前記開口からの突出状態に維持する出入手段と、前記マッサージ手段および部分マッサージ手段を駆動する駆動装置を備えたことを特徴とするマッサージ機。
【請求項２】
請求項１記載の発明において、前記複数のマッサージ手段、前記部分マッサージ手段、及び前記出入手段の夫々はエアーバッグからなり、これらエアーバッグと連通した前記駆動装置としてのエアー供給装置を設け、前記出入手段をなしたエアーバッグに接続されたエアーホースに、前記出入手段をなしたエアーバッグを略最大の膨張状態に維持する電磁弁を設けたことを特徴とするマッサージ機。
【発明の詳細な説明】
【０００１】
【発明の属する技術分野】
この発明は、例えば、マットあるいは布団に配設されたエアーバッグからなるマッサージ手段をエアー供給手段からなる駆動手段によって駆動して被施療部のマッサージをするマッサージ機に関する。
【０００２】
【従来の技術】
従来のマットあるいは布団に配設された複数のエアーバッグにエアー供給装置からエアーを給排気して膨縮させて被施療部のマッサージをするエアーマッサージ機（以下マット式マッサージ機という）１００は、図５に示すマット部１０１と、エアー供給装置１２０とから構成されている。そして、前記マット部１０１の上面側つまり使用者がマッサージをする際に身体を横たえた際に身体を支持する側の面に、その長手方向に沿って配設された複数のエアーバッグ１１１ないし１１８を配設し、また、前記マット部１０１の長手方向の一端側の側面にはコネクター１０２を設け、このコネクター１０２と前記エアーバッグ１１１ないし１１８とは図示しないがそれぞれエアーホースによって接続されている。
【０００３】
また、前記エアー供給装置１２０には、図示しないが内部に電磁式ポンプ等からなるエアー生成手段、このエアー生成手段で生成されたエアーを前記各エアーバッグ１１１ないし１１８に給排気するロータリー弁からなるエアー分配器、前記エアー生成手段とエアー分配器とを制御する制御手段等が設けられるとともに、側壁には前記エアー分配器の各分配口に対応した複数の給排気口が設けられた接続口１２１が設けられている。
【０００４】
そして、前記接続口１２１と前記マット部１０１に設けられたコネクター１０２とを、複数のエアーホースからなる接続ホース１２５によって接続し、この接続ホース１２５を介してエアーの給排気を行うようになっている。
【０００５】
そして、マッサージをしようとする使用者は、マット部１０１に身体を横たえて、エアー供給装置１２０に設けられた操作パネル１２２から所望のマッサージモードを設定すると、前記図示しない制御手段は前記エアー生成手段およびエアー分配器を制御して、前記設定されたマッサージモードによって定められた順序にしたがって前記各エアーバッグ１１１ないし１１８をそれらにエアーを給排気して膨縮させる。この膨縮によって被施療部は押圧・弛緩されてマッサージがなされるものである。
【０００６】
しかし、従来のマット式マッサージ機１００における脚部（ふくらはぎ部分）のマッサージは、単にマット部１０１に配設したエアーバッグの膨縮によって行う。この脚部のマッサージは、脚部の重さに抗してエアーバッグが膨脹する際に脚部を押圧する押圧力を利用するものであるため、強い押圧力を望む場合は十分な押圧力が得られないという問題がある。このことから、出願人は図９に示すようにマット部１０１とは別に形成した、一対の凹溝からなる脚載置溝１３２を形成した基台１３１と、この基台１３１の前記脚載置溝１３２の対向する両側壁に支持させて配設するとともに脚部を挟み込むように押圧する一対のエアーバッグ１３３とから脚部用マッサージ器つまり部分マッサージ器１３０を構成し、この部分マッサージ器１３０と前記エアー供給装置１２０とを接続ホース１３５によって接続して、使用時には、前記マット部１０１の上に置き、エアー供給装置１２０からエアーの給排気をして脚部のマッサージをするものをすでに開発した。
【０００７】
ところで、このようにマット部１０１と別に構成した部分マッサージ器１３０は、一対のエアーバッグ１３３によって脚部を挟み込むようにして押圧する。このため、良好なマッサージ効果を得ることができるものの、この部分マッサージ器１３０を使用する場合は、その都度、エアー供給装置１２０と部分マッサージ器１３０とを接続ホース１３５によって接続しなければならない。また、使用後はこれを取り外して所定の場所に収納しなければならない、つまり片付けなければならない。このことから使い勝手の点で必ずしも満足できるものではないことが判明した。
【０００８】
【発明が解決しようとする課題】
上記のように、従来のマット式マッサージ機１００における脚部（ふくらはぎ部分）のマッサージは、単にマット部１０１に配設したエアーバッグの膨縮によって行うものであることから、強い押圧力が得られないものであり、この点を解決して図５に示すようにマット部１０１とは別に部分マッサージ器１３０を設け、この部分マッサージ器１３０と前記エアー供給装置１２０とを接続ホース１３５により接続し、エアーの給排気をしてマッサージをするようにしたものは良好なマッサージ効果を得ることができるものの、使い勝手の点では必ずしも満足できるものではない。
【０００９】
このことは、部分マッサージ器が脚部用ではなく他の部分例えば腕部のマッサージをする腕部マッサージ器とした場合も同様であり、また、エアーマッサージ機ではなく、押圧子等からなるマッサージ手段を揺動あるいは振動させる形式のマッサージ機においても同様である。
【００１０】
【課題を解決するための手段】
この発明は上記事情に鑑みなされたものであり、請求項１記載の発明は、身体を支持する側に複数のマッサージ手段が配設されたマット部材からなるとともに上面に開口を有する収納凹部が形成された身体支持体と、部分マッサージ手段を有し前記収納凹部に出入可能に収納されるとともに収納状態では前記身体支持体の上面と略面一として収納される部分マッサージ器と、前記収納凹部に配設され前記部分マッサージ器を前記収納凹部の開口から出し入れするとともに前記部分マッサージ器を出す際にはこの部分マッサージ器を押圧して前記開口からの突出状態に維持する出入手段と、前記マッサージ手段および部分マッサージ手段を駆動する駆動装置を備えたマッサージ機としたものである。
【００１１】
このように構成した請求項１記載の発明は、身体を支持する側に複数のマッサージ手段が配設されたマット部材からなる身体支持体に、上面に開口を有する収納凹部を形成し、この収納凹部に出し入れ可能に部分マッサージ器を収納するようにしたことから、部分マッサージ器を使用する際には、この部分マッサージ器を収納凹部から取り出して使用し、使用後は前記収納凹部に収納すればよく、したがって使い勝手をよくできる。また、収納状態では部分マッサージ器の上側部は前記身体支持体の上面と略面一として収納されていることから、部分マッサージをすることなく身体支持体に配設したマッサージ手段により身体をマッサージをする際等に、部分マッサージ器が邪魔になることがないという作用を有するものである。
【００１２】
更に、請求項１記載の発明は、収納凹部に配設され部分マッサージ器を収納凹部の開口から出し入れするとともに部分マッサージ器を出す際にはこの部分マッサージ器を押圧して開口からの突出状態に維持する出入手段を設けたことから、部分マッサージ器の収納凹部からの出し入れが容易であるという作用を有するものである。
【００１３】
請求項１記載の発明においては、請求項２記載の発明のように、前記複数のマッサージ手段、前記部分マッサージ手段、及び前記出入手段の夫々はエアーバッグからなり、これらエアーバッグと連通した前記駆動装置としてのエアー供給装置を設け、前記出入手段をなしたエアーバッグに接続されたエアーホースに、前記出入手段をなしたエアーバッグを略最大の膨張状態に維持する電磁弁を設けるとよい。
【００１５】
【発明の実施の形態】
つぎに、この発明の第一の実施の形態を図１ないし図４に基づいて説明する。
【００１６】
図１において符号Ａはマッサージ機であり、このマッサージ機Ａは、身体支持体としてのマット部１、このマット部１内に埋設して配置された駆動装置としてのエアー供給装置２０および前記マット部１の身体を支持する側に設けられた複数のエアーバッグつまり首用エアーバッグ１１ないし脚用エアーバッグ１８、部分マッサージ器としての腕用マッサージ器４０等から構成されている。
【００１７】
そして、前記マット部１は、例えば通気性を有する発泡ウレタンフォーム等から構成され、上面からの投影が長方形状でかつ肉厚に形成されたマット部材２とこのマット部材２の外表面を覆った布等からなるカバー３とから構成されている。なお、前記マット部材２の肉厚寸法は、後に詳述する前記エアー供給装置２０の下面および上面を所定の厚さの肉厚で覆うことができる寸法に設定されているものである。
【００１８】
そして、前記マット部材２の身体を支持する側つまり上側には、図示しない長方形状の凹部が形成されており、この凹部の底壁面に図１に示すように首部をマッサージする首用エアーバッグ１１、肩部をマッサージする肩用エアーバッグ１２、背中部をマッサージする背中用エアーバッグ１３および１４、腰部をマッサージする腰用エアーバッグ１５、尻部をマッサージする尻用エアーバッグ１６、腿部をマッサージする腿用エアーバッグ１７および脚部（ふくらはぎ部）をマッサージする脚用エアーバッグ１８が長手方向に沿って配設されている。
【００１９】
また、前記マット部１の前記脚用エアーバッグ１８が配置されている側の端縁部の角部つまり使用者がマット部１の上面に身体を仰向け状態にして横たえた際に足が位置する側の角部には図１に示すように、エアー供給装置２０がマット部材２に埋設して配置されている。
【００２０】
そして、エアー供給装置２０がマット部材２内に埋設された状態では、エアー供給装置２０の上面は所定肉厚つまり使用者等がエアー供給装置２０の上部に乗った時にマット部材２の緩衝作用によって足の裏等に痛み等を感じることがない程度の肉厚によって覆われている。
【００２１】
また、エアー供給装置２０がマット部材２内に埋設された状態では、その下面つまりエアー供給装置２０が取り付けられた支持台２３の底面は、エアー供給装置２０の動作時にエアー供給装置２０から発生する振動を吸収して床面等に伝達されないような肉厚で覆われようになっている。
【００２２】
また、前記エアー供給装置２０のマット部１のマット部材２内への埋設は、図示してはいないが前記角部の一部を肉厚方向中間部で前記上面部と平行の面で上下に分割するとともに内部をくりぬいてエアー供給装置２０を収納できる空間部を形成しておき、この空間部に収納し前記分割面を接合した後マット部材２を通気性のある前記カバー３で覆うようにするものである。
【００２３】
そして、上記のようにエアー供給装置２０はマット部材２に形成した空間部に収納して配置されているとともに、カバー３、マット部材２はそれぞれ通気性を有するものであることから、エアー供給装置２０が駆動した際における給排気には支障がないものである。なお、給排気量の大きいエアー供給装置を使用する場合はマット部材２の側面に前記空間部と外部を連通させる径小な複数の貫通孔を設けるようにすればよく、この場合はエアー供給装置２０からの騒音が外部に漏れないような直径の貫通孔とすることが望ましい。
【００２４】
また、前記マット部１の側面には、図２に示すように雌プラグ４が設けられており、この雌プラグ４と前記エアー供給装置２０内に設けられた電磁ポンプ、制御手段とは図示しないリード線によって接続されている。
【００２５】
また、前記マット部１の首用エアーバッグ１１が配設されている側の角部には、図１に示すように一端側を回動可能なヒンジによって取り付けた蓋６ａによって開閉される方形状の収納凹部６が形成されており、この収納凹部６には操作部であるリモートコントロール装置（以下リモコン装置という）７が取り出し可能にして収納されている。このリモコン装置７には図示しにコードが接続されており、上記のように前記収納凹部６から取り出しても使用つまり各種マッサージモードを設定することもでき、また、収納した状態のままでも使用できるものである。したがって、リモコン装置７を取り出して使用する場合は、使用者はマット部１に身体を横たえた状態で所望のマッサージモードを設定できるものである。勿論収納凹部６は首部側に設けてあり、収納凹部６に収納したままでも操作できるものであることから同一マッサージモードのまま使用する場合等は予め設定すれば、設定し直すことを要しないことからこのような場合は収納凹部６に収納したまま使用することの方が便利である。
【００２６】
なお、前記リモコン装置７は、図示しない信号線を介して図４に示すように後述する制御手段３３に信号を送るようになっている。
【００２７】
また、マット部１の使用者が身体を横たえた際に腕部が位置する部位に、上方を開口８ａとした一対の収納凹部８が形成されており、この収納凹部８には部分マッサージ器としての腕用マッサージ器４０が出没可能にして収納されている。
【００２８】
つぎに、この腕用マッサージ器４０について説明する。
【００２９】
この腕用マッサージ器４０は、図２および図３に示しように互いに対向する一対の側壁つまり収納状態で上側に位置する側壁（以下上方側壁という）４１、収納状態で下側に位置する側壁（以下下方側壁という）４２、および上方側壁４１と下方側壁４２と一体に形成された底壁４３からなり、内側に一端側を開口４５ａとした溝状の腕収納部４４を有するコ字状の枠体４５と、前記上方側壁４１および下方側壁４２の互いに対向する面に配設された部分マッサージ手段としてのエアーバッグ４６、４６とから構成されている。なお、前記枠体４５は保形性を有しているものである。
【００３０】
また、前記枠体４５は前記両エアーバッグ４６が配設された状態で全体をカバー４５ｂで覆われている。このカバー４５ｂは、少なくとも前記両エアーバッグ４６を覆う領域部分が伸縮性のある材料で形成されており、前記エアーバッグ４６にエアーが供給されて膨脹する際にこの膨脹に追従して伸長するようになっている。
【００３１】
また、前記収納凹部８の底壁８ｂは平坦面に形成され、また、前記枠体４５の底壁４３側の側壁８ｃは垂直に形成され、また、枠体４５の開口４５ａ側の側壁８ｄは上方に向かうにつれて拡開する円弧面に形成されている。また、前記枠体４５の下方側壁４２の開口４５ａ側の先端面は上方側壁４１の先端面よりも低く形成され両先端面を結ぶ面は図２、図３に一点鎖線で示すように前記収納凹部８の側面８ｄの円弧面の半径よりも小さい半径に設定されている。このことにより、後述するヒンジ４７部分を中心として枠体４５が図２、図３において時計方向に回動する際に、下方側壁４２の先端面は側壁８ｄに干渉することがないようになっている。
【００３２】
また、前記枠体４５を覆うカバー４５ｂの上方側壁４１でかつ底壁４３側の近傍と前記マット部１のカバー３の開口８ａの縁部とは、布等からなる帯状のヒンジ４７によって結合されている。
【００３３】
また、前記収納凹部８の前記側壁８ｃと枠体４０の底壁４３の外側との間には空間部が形成されており、この空間部には出入手段としての駆動用エアーバッグ４８が一側面を前記収納凹部８の側壁８ｃに支持されて配設されている。そして、前記枠体４５つまり腕用マッサージ器４０は、前記駆動用エアーバッグ４８が膨脹するにつれて底壁４３の外側を駆動用エアーバッグ４８によって押圧され、前記ヒンジ４７を回動支点として図３において時計方向に回動し、駆動用エアーバッグ４８が略最大に膨脹した際は図３に二点鎖線で示すように開口４５ａが略真上を向く位置まで回動して停止する。つまり駆動用エアーバッグ４８の大きさおよび膨脹量は、略最大に膨脹した際に前記腕用マッサージ器４０をその開口４５ａが略真上に向く位置となるまで回動させるように設定されているものである。
【００３４】
また、駆動用エアーバッグ４８が収縮するに連れて腕用マッサージ器４０は、ヒンジ４７を回動支点として反時計方向に回動し、略最小に収縮した際には収納凹部８内に収納される。このときは、上方側壁４１の外側面とマット部１の上面とは略面一となるようになっている。したがって、腕用マッサージ器４０を使用することなく首用エアーバッグ１１ないし脚用エアーバッグ１８によってマッサージをする場合においては、腕用マッサージ器４０はマット部１の上面から突出しないため、マット部１の上面は腕用マッサージ器４０の上面を含め平坦面となっており、腕用マッサージ器４０が邪魔になることがないものである。
【００３５】
つぎに、前記エアー供給装置２０について説明する。
【００３６】
このエアー供給装置２０は、図４に示すように電磁式ポンプ等からなるエアー生成手段３０、このエアー生成手段３０にホース３１を介して接続されたロータリー弁等からなるエアー分配器３２、前記ホース３１から分岐したホース３１ａに接続された電磁弁３４、３４およびエアー生成手段３０、エアー分配器３２および電磁弁３４、３４を制御するマイクロコンピュータからなる制御手段３３等から構成されている。
【００３７】
そして、前記エアー分配器３２は図示しないが１０個の供給口と１個の排気口が設けられており、前記１０個の供給口のそれぞれにはエアーホース１１ａないし１８ａおよび一対のエアーホース４６ａの一端側が接続されており、このエアーホース１１ａないし１８ａの他端側はそれぞれ前記首用エアーバッグ１１ないし脚用エアーバッグ１８にそれぞれ接続され、また、前記エアーホース４６ａは図２、図４に示すようにエアーホース４６ｂ、４６ｂに分岐されて前記両腕用エアーバッグ４６に接続されている。
【００３８】
また、前記電磁弁３４、３４のそれぞれにはエアーホース４８ａの一端側が接続され、これらエアーホース４８ａの他端側はそれぞれ前記駆動用エアーバッグ４８に接続されている。
【００３９】
そして、前記制御手段３３は前記リモコン装置７から所定のマッサージモードが設定されると、この設定されたマッサージモードによって定められた順序にしたがって、前記首用エアーバッグ１１ないし脚用エアーバッグ１８および腕用エアーバッグ４６にエアーの給排気をするように、エアー生成手段３０、エアー分配器３２および電磁弁３４を制御するものである。
【００４０】
なお、前記マッサージモードとは、首用エアーバッグ１１ないし脚用エアーバッグ１８および腕用エアーバッグ４６を所定の順序で膨縮させて全身をマッサージする全身マッサージモード、首用エアーバッグ１１ないし腰エアーバッグ１５を順次膨縮させる上半身マッサージモード、尻用エアーバッグ１６ないし脚用エアーバッグ１８を順次膨縮させる下半身マッサージモード、首用エアーバッグ１１ないし脚用エアーバッグ１８および腕用エアーバッグ４６をそれぞれ単独で膨縮させる部分マッサージモードである。
【００４１】
つぎに、上記マッサージ機Ａの動作について説明する。
【００４２】
まず、腕用マッサージ器４０を使用しない場合について説明する。この場合使用者は、マット部１の上面に身体を横たえた後、前記リモコン装置７から前記腕用マッサージ器４０によるマッサージを含まないマッサージモードのなかから所望のマッサージモードを設定し、図示しないスタートスイッチを操作すると、制御手段３３は前記設定されたマッサージモードによって定められた順序にしたがって、エアー生成装置３０およびエアー分配器３２を制御し前記首用エアーバッグ１１ないし脚用エアーバッグ１８に順次エアーの給排気をする。この給排気に伴って前記各エアーバッグが膨縮し被施療部はマッサージされるものである。そして、設定された時間がリモコン装置７に設けたタイマーによって計時されるかまたはマッサージを終了させる図示しない終了釦を操作すると、制御手段３３は前記エアー生成手段３０を停止させるとともにエアー分配器３２を制御して首用エアーバッグ１１ないし脚用エアーバッグ１８のエアーを排気した後エアー分配器３２を停止させる。
【００４３】
また、腕用マッサージ器４０によるマッサージを含まないマッサージモード、換言すれば腕用マッサージ器４０を使用しないマッサージモードが設定されていることから、制御手段３３は前記両電磁弁３４を非動作状態つまり弁を閉じて駆動用エアーバッグ４８にエアーの供給をしないように制御する。したがって、駆動用エアーバッグ４８は収縮状態に維持されていることから、腕用マッサージ器４０は収納凹部８内に収納つまり没入した状態となっている。また、上方側壁４１の上面はマット部１の上面と略面一となっていることから、使用者がマット部１に身体を横たえる等の動作時に腕用マッサージ器４０が邪魔になることはないものである。
【００４４】
つぎに、首部、背中部等のマッサージととも腕用マッサージ器４０を使用し腕部のマッサージをする場合について説明する。
【００４５】
この場合使用者は、マット部１の上面に身体を横たえた後、前記リモコン装置７に設けられた腕用マッサージ器４０の使用を設定する図示しない設定釦を操作する。この設定釦が操作されると前記制御手段３３は前記両電磁弁３４の弁を開くように制御し駆動用エアーバッグ４８にエアーの供給を開始させる。このエアーの供給が開始されると駆動用エアーバッグ４８は次第に膨脹し、この膨脹に伴って腕用マッサージ器４０はヒンジ４７を回動支点として回動し、収納凹部８から次第に突出する。そして、駆動用エアーバッグ４８が略最大の膨脹に達すると制御手段３３は両電磁弁３４を閉じるように制御する。この結果駆動用エアーバッグ４８は前記略最大の膨脹状態を維持し、腕用マッサージ器４０はその開口４５ａが略真上を向く状態に維持される。
【００４６】
また、前記駆動用エアーバッグ４８が略最大の膨脹状態に達したか否かの判断は、最大の膨脹に達するまでに要する時間を予め求めこの時間をメモリーに記憶しておきエアー供給時間を計時することにより判断するようにしているものである。なお、この判断は駆動用エアーバッグ４８の前記略最大の膨脹時の圧力を予め求め、この圧力値をメモリーに記憶しておき、駆動用エアーバッグ４８の圧力を圧力センサーで検知し、上記メモリーに記憶された圧力値と比較するようにしてもよいものである。
【００４７】
そして、腕用マッサージ器４０を突出させた後、前記リモコン装置７から前記腕用マッサージ器４０によるマッサージを含むマッサージモードのなかから所望のマッサージモードを選択して設定する。そして、図示しないスタート釦を操作するとともに、腕用マッサージ器４０の腕収納部４４に腕を挿入する。そして、前記スタート釦の操作により制御手段３３は前記設定されたマッサージモードによって定められた順序にしたがって、エアー生成装置３０、エアー分配器３２および電磁弁３４を制御し前記首用エアーバッグ１１ないし脚用エアーバッグ１８および腕用エアーバッグに４６に順次エアーを給排気する。この給排気に伴って前記各エアーバッグが膨縮し、腕部を含む各被施療部がマッサージされるものである。
【００４８】
そして、設定された時間がタイマーによって計時されるかまたはマッサージを終了させる図示しない終了釦を操作すると、制御手段３３は前記エアー生成手段３０を停止させるとともにエアー分配器３２を制御して首用エアーバッグ１１ないし脚用エアーバッグ１８および腕用エアーバッグ４６のエアーを排気した後エアー分配器３２を停止させる。また、電磁弁３４を開くように制御して駆動用エアーバッグ４８内のエアーを排気させる。この排気によって駆動用エアーバッグ４８は略最小の状態に収縮し、この収縮によって腕用マッサージ器４０は収納凹部８内に没入つまり収納されるものである。
【００４９】
このように、身体を支持する側に首用エアーバッグ１１ないし脚用エアーバッグ１８が配設された肉厚のマット部１に、上面に開口８ａを有する収納凹部８を形成し、この収納凹部８に出没可能つまり出し入れ可能に腕用マッサージ器４０を収納するようにしたことから、腕用マッサージ器４０を使用する際には、この腕用マッサージ器４０を収納凹部８から突出させて使用し、使用後は収納凹部８に収納つまり没入させればよくしたがって使い勝手をよくでき、また、収納状態では腕用マッサージ器４０の上側は前記マット部１の上面と略面一として収納されているため部分マッサージ４０を使用することなくエアーバッグ１１ないし脚用エアーバッグ１８により身体をマッサージをする際においても腕用マッサージ器４０が邪魔になることはないものである。
【００５０】
また、前記収納凹部８に配設された駆動用エアーバッグ４８によって腕用マッサージ器４０を前記収納凹部８の開口から出没させるようにしたことから、腕用マッサージ器４０の収納凹部８からの出し入れは容易になされるものである。
【００５１】
なお、上記実施の形態においては、腕用マッサージ器４０とマット部１とをヒンジ４７で接続して、駆動用エアーバッグ４８の膨縮によりヒンジ４７を回動支点として収納凹部８から出没つまり出し入れさせる構成としたが、これは、例えば、ヒンジ４７を設けることなく腕用マッサージ器４０の底壁４３を収納凹部８の底壁８ｃに対向させて収納凹部８内に上下方向に移動可能に収納するとともに、前記収納凹部８の底壁８ｃと腕用マッサージ器４０の底壁４３の外側との間に駆動用エアーバッグを配置し、この駆動用エアーバッグを膨縮させることにより腕用マッサージ器４０を上下方向に移動させて、腕用マッサージ器４０を収納凹部８の開口８ａつまりマット部１の上面より出没させて出し入れするように構成してもよいものである。
【００５２】
また、駆動用エアーバッグ４８およびヒンジ４７を設けることなく収納状態で上面がマット部１の上面と略面一となるようにして収納凹部８に収納するように構成し、腕用マッサージ器４０を使用する際はこれを収納凹部８から取り出して収納凹部８の開口８ａを避けたマット部１の任意の位置に配置させるようにしてもよい。この場合は、腕用マッサージ器４０の収納凹部８からの取り出しおよび収納は使用者自身がしなければならないもの、腕用マッサージ器４０を使用する際には、この腕用マッサージ器４０を収納凹部８から取り出して使用し、使用後は収納凹部８に収納すればよいものであることから使い勝手がよい。また、収納状態では腕用マッサージ器４０の上側は前記マット部１の上面と略面一として収納されていることから、部分マッサージ４０を使用することなく、マット部１に配設したエアーバッグ１１ないし脚用エアーバッグ１８により身体をマッサージをする際においても、腕用マッサージ器４０が邪魔になることはないものである。
【００５３】
なお、上記実施の形態においては、部分マッサージ器４０を腕部をマッサージする腕用マッサージ器４０とした場合について説明したが、これは同様に構成して脚用マッサージ器としても良いものである。
【００８１】
なお、上記第一実施の形態においては、マッサージ手段、部分マッサージ手段をエアーバッグによって構成し、また、駆動装置をエアー供給装置によって構成したが、これはマッサージ手段、部分マッサージ手段を押圧子によって構成するとともに、駆動装置を前記押圧子を振動させる電磁機構あるいは押圧子を揺動させる電動機と揺動機構によって構成してもよいものである。
【００８２】
また、上記第一実施の形態においてマット部に配設するマッサージ手段をエアーバッグで構成したがこれは押圧子で構成してもよいものである。
【００８３】
【発明の効果】
上記のように構成した請求項１記載の発明は、身体を支持する側に複数のマッサージ手段が配設されたマット部材からなる身体支持体に、上面に開口を有する収納凹部を形成し、この収納凹部に出し入れ可能に部分マッサージ器を収納するようにしたことから、部分マッサージ器を使用する際には、この部分マッサージ器を収納凹部から取り出して使用し、使用後は前記収納凹部に収納すればよくしたがって使い勝手をよくできる。また、収納状態では部分マッサージ器の上側部は前記身体支持体の上面と略面一として収納されていることから、部分マッサージをすることなく身体支持体に配設したマッサージ手段により身体をマッサージする際等に部分マッサージ器が邪魔になることがないという効果を有するものである。
【００８４】
更に、請求項１記載の発明は、前記収納凹部に配設され前記部分マッサージ器を前記収納凹部の開口から出し入れするとともに前記部分マッサージ器を出す際にはこの部分マッサージ器を押圧して前記開口からの突出状態に維持する出入手段を設けたことから、部分マッサージ器の収納凹部からの出し入れが容易であるという効果を有するものである。
【図面の簡単な説明】
【図１】  本発明の第一の実施の形態のマッサージ機の斜視図。
【図２】  上記第一の実施の形態のマッサージ機の部分マッサージ器の断面斜視図（図１のＸ−Ｘ線での断面斜視図）
【図３】  上記第一の実施の形態のマッサージ機の部分マッサージ器の断面図（図１のＸ−Ｘ線での断面図）
【図４】  上記第一の実施の形態のマッサージ機の制御ブロック図。
【図５】  従来のエアーマッサージ機の斜視図。
【符号の説明】
Ａ            マッサージ機（エアーマッサージ機）
１            マット部（身体支持体）
２            マット状部材
８            収納凹部
８ａ          収納凹部の開口
１１          首用エアーバッグ（マッサージ手段）
１２          肩用エアーバッグ（マッサージ手段）
１３          背中用エアーバッグ（マッサージ手段）
１４          背中用エアーバッグ（マッサージ手段）
１５          腰用エアーバッグ（マッサージ手段）
１６          尻用エアーバッグ（マッサージ手段）
１７          腿用エアーバッグ（マッサージ手段）
１８          脚用エアーバッグ（マッサージ手段）
２０          エアー供給装置（駆動装置）
４０          腕用マッサージ器（部分マッサージ器）
４６          腕用エアーバッグ（部分マッサージ手段）
３１ａ        エアーホース
３４          電磁弁
４５          腕用マッサージ器の枠体
４１ａ        枠体の上方側壁
４７          ヒンジ
４８          駆動用エアーバッグ（出入手段）
４８ａ        エアーホース
【図１】
0003665703.tif 000002
【図２】
0003665703.tif 000003
【図３】
0003665703.tif 000004
【図４】
0003665703.tif 000005
【図５】
0003665703.tif 000006